(57)【要約】  手元操作スイッチボックスが大型化することなく、操作性に優れた電動機器の運転制御装置を提供すること。  手元操作スイッチボックス３０のスイッチ操作により制御回路２１，２２を介して電動機器１０の運転停止を行うと共に、電磁開閉器駆動回路２０に直列に挿入された非常停止用スイッチ３１の常閉接点３１ｂの開操作により電磁開閉器１２を開状態にする電動機器１０の運転制御装置であって、手元操作スイッチボックス３０の非常停止用スイッチ３１に常閉接点３１ｂの開操作により閉じる常開接点３１ａを設けると共に、該常開接点３１ａが閉じることにより動作し且つ該動作を自己保持する自己保持回路２７を有する電源投入用リレー２５を設け、該リレー２５の常開接点２５ａ−２を電磁開閉器駆動回路２０に非常停止用スイッチ３１の常閉接点３１ｂと直列に挿入した。
2009025060.tif 000002
【特許請求の範囲】
【請求項１】
電動機器と、該電動機器に駆動電力を供給する電源回路と、該電源回路を開閉する電磁開閉器と、該電磁開閉器の駆動コイルに駆動電流を通電遮断する電磁開閉器駆動回路と、非常停止用スイッチを有する手元操作スイッチボックスを備え、
前記手元操作スイッチボックスのスイッチ操作により制御回路を介して前記電動機器の運転停止を行うと共に、前記電磁開閉器駆動回路に直列に挿入された前記非常停止用スイッチの常閉接点の開操作により前記電磁開閉器を開状態にする電動機器の運転制御装置であって、
前記手元操作スイッチボックスの非常停止用スイッチに前記常閉接点の開操作により閉じる常開接点を設けると共に、該常開接点が閉じることにより動作し且つ該動作を自己保持する自己保持回路を有する電源投入用リレーを設け、該リレーの常開接点を前記電磁開閉器駆動回路に前記非常停止用スイッチの常閉接点と直列に挿入したことを特徴とする電動機器の運転制御装置。
【請求項２】
請求項１に記載の電動機器の運転制御装置において、
前記非常停止用スイッチは押釦スイッチであり、押圧操作により前記常閉接点が開くと共に、前記常開接点が閉じてこの状態を維持し、その後所定方向に所定量回転させることによりリセットする構成となっていることを特徴とする電動機器の運転制御装置。
【請求項３】
請求項１又は２に記載の電動機器の運転制御装置において、
前記電動機器は電動巻上機の巻上下用電動機であり、
前記制御回路は前記手元操作スイッチボックスのスイッチ操作により前記巻上下用電動機を巻上下げ方向に運転停止させる機能を有することを特徴とする電動機器の運転制御装置。
【請求項４】
請求項３に記載の電動機器の運転制御装置において、
前記電動巻上機は該電動巻上機を横行させる横行用電動機を備え、
前記制御回路は前記手元操作スイッチボックスのスイッチ操作により前記横行用電動機を横行方向に運転停止させる機能を更に有することを特徴とする電動機器の運転制御装置。
【発明の詳細な説明】
【技術分野】
【０００１】
本発明は、電動巻上機や天井走行クレーン等の巻上下用電動機や横行用電動機等の電動機器の運転停止を手元操作スイッチボックスのスイッチ操作で運転制御する電動機器の運転制御装置に関するものである。
【背景技術】
【０００２】
手元操作スイッチボックスのスイッチ操作により電動機器を操作するものの一例として、電動巻上機や天井走行クレーン等がある。図１は従来の電動チェーンブロックの巻上下用電動機の運転制御装置の回路構成を示す図である。図１において、１０は巻上下用誘導電動機であり、１１はブレーキである。巻上下用誘導電動機１０は電源開閉用の電磁開閉器１２と巻上用電磁開閉器１３又は巻下用電磁開閉器１４を介して電源回路１５から３相交流電力が供給できるようになっている。また、ブレーキ１１に整流回路１６を介して直流電力が供給できるようになっている。【０００３】
２０は電磁開閉器１２を駆動する駆動回路であり、２１は巻上用制御回路、２２は巻下用制御回路である。また、３０は手元操作スイッチボックスであり、該手元操作スイッチボックス３０には非常停止用押釦スイッチ３１、電源投入用押釦スイッチ３２、巻上用押釦スイッチ３３、巻下用押釦スイッチ３４が設けられている。【０００４】
駆動回路２０は電磁開閉器１２の駆動コイル１２Ｘ、非常停止用押釦スイッチ３１の常閉接点３１ｂと電磁開閉器１２の常開補助接点１２ａとが直列に接続され、且つ電源投入用押釦スイッチ３２の常開接点３２ａが前記常閉接点３１ｂと常開補助接点１２ａの直列回路に並列に接続されて構成されている。巻上用制御回路２１は巻上用押釦スイッチ３３の常開接点３３ａと巻上用電磁開閉器１３の駆動コイル１３Ｘとが直列に接続されて構成され、該巻上用制御回路２１は前記非常停止用押釦スイッチ３１の常閉接点３１ｂと直列に接続されている。巻下用制御回路２２は巻下用押釦スイッチ３４の常開接点３４ａと巻下用電磁開閉器１４の駆動コイル１４Ｘとが直列に接続されて構成され、該巻下用制御回路２２は前記非常停止用押釦スイッチ３１の常閉接点３１ｂと直列に接続されている。【０００５】
２３は変圧器で、１次側に電源回路１５のＳＴ相（例えば２００Ｖ）が接続され、２次側から所定（例えば２４Ｖ）の交流電圧が出力され、駆動回路２０、巻上用制御回路２１、及び巻下用制御回路２２に接続されるようになっている。なお、２４はヒューズである。【０００６】
上記巻上下用電動機の運転制御装置において、電源投入用押釦スイッチ３２を押してその常開接点３２ａが閉じると電磁開閉器１２の駆動コイル１２Ｘに駆動電流が流れ、電磁開閉器１２が動作して閉じると共に、その常開補助接点１２ａが閉じて、電磁開閉器１２の閉動作は自己保持される。この状態で巻上用押釦スイッチ３３を押し、その常開接点３３ａが閉じると巻上用電磁開閉器１３の駆動コイル１３Ｘに駆動電流が流れ、巻上用電磁開閉器１３が閉じ、巻上下用誘導電動機１０に巻上用駆動電力が供給され、該巻上下用誘導電動機１０は巻上げ方向に回転（正転）する。また、巻下用押釦スイッチ３４を押し、その常開接点３４ａが閉じると巻下用電磁開閉器１４の駆動コイル１４Ｘに駆動電流が流れ、巻下用電磁開閉器１４が閉じ、巻上下用誘導電動機１０に巻下用駆動電力が供給され、該巻上下用誘導電動機１０は巻下げ方向に回転（逆転）する。【０００７】
上記巻上下用電動機の運転制御装置において、停電発生時には、電源回路１５への電力供給は遮断される。停電復帰時は手元操作スイッチボックス３０の非常停止用押釦スイッチ３１の常閉接点３１ｂは閉じているが、電磁開閉器１２の常開補助接点１２ａが開いているため、駆動コイル１２Ｘには駆動電流が流れない。この状態で巻上用押釦スイッチ３３、巻下用押釦スイッチ３４を押しても巻上用電磁開閉器１３の駆動コイル１３Ｘ、巻下用電磁開閉器１４の駆動コイル１４Ｘに駆動電流が流れ、巻上用電磁開閉器１３、巻下用電磁開閉器１４が閉じても、電磁開閉器１２が開いているため、巻上下用誘導電動機１０に駆動電力は供給されない。【０００８】
この状態で電源投入用押釦スイッチ３２を押しその常開接点３２ａが閉じると、上記のように電磁開閉器１２の駆動コイル１２Ｘに駆動電流が流れ、電磁開閉器１２が閉じると共に、その常開補助接点１２ａが閉じるから、常開補助接点１２ａ及び非常停止用押釦スイッチ３１の常閉接点３１ｂを通して、駆動コイル１２Ｘに駆動電流が流れ続け、電磁開閉器１２の閉動作は自己保持される。この状態で、巻上用押釦スイッチ３３、又は巻下用押釦スイッチ３４を押して巻上用電磁開閉器１３の駆動コイル１３Ｘ、又は巻下用電磁開閉器１４の駆動コイル１４Ｘに駆動電流を流し、巻上用電磁開閉器１３、又は巻下用電磁開閉器１４が閉じると巻上下用誘導電動機１０に巻上用電力、又は巻下用電力が供給され、巻上方向、又は巻下方向に回転する。
【発明の開示】
【発明が解決しようとする課題】
【０００９】
上記巻上下用電動機の運転制御装置においては、停電回復した際に、巻上下用電動機の運転を可能にするため、手元操作スイッチボックス３０に電源投入用押釦スイッチ３２を設けている。この電源投入用押釦スイッチ３２は、非常停止用押釦スイッチ３１、巻上用押釦スイッチ３３、巻下用押釦スイッチ３４とは別の押釦スイッチであるため、手元操作スイッチボックス３０は大型化し、操作性が悪かった。また、通常運転時に非常停止用押釦スイッチ３１を押した後は、非常停止用押釦スイッチ３１を解除（リセット）した後、更に電源投入用押釦スイッチ３２を押圧する操作をしなければならず、操作が煩雑であった。また、非常停止用押釦スイッチ３１を解除しても、巻上下用誘導電動機１０が動作しない場合、手元操作スイッチボックス３０の押釦スイッチを無闇に押して、その結果不用意に機械が動き出す可能性があった。【００１０】
本発明は上述の点に鑑みてなされたもので、手元操作スイッチボックスが大型化することなく、操作性に優れた電動機器の運転制御装置を提供することを目的とする。
【課題を解決するための手段】
【００１１】
上記課題を解決するため本発明は、電動機器と、該電動機器に駆動電力を供給する電源回路と、該電源回路を開閉する電磁開閉器と、該電磁開閉器の駆動コイルに駆動電流を通電遮断する電磁開閉器駆動回路と、非常停止用スイッチを有する手元操作スイッチボックスを備え、手元操作スイッチボックスのスイッチ操作により制御回路を介して電動機器の運転停止を行うと共に、電磁開閉器駆動回路に直列に挿入された非常停止用スイッチの常閉接点の開操作により電磁開閉器を開状態にする電動機器の運転制御装置であって、手元操作スイッチボックスの非常停止用スイッチに常閉接点の開操作により閉じる常開接点を設けると共に、該常開接点が閉じることにより動作し且つ該動作を自己保持する自己保持回路を有する電源投入用リレーを設け、該リレーの常開接点を電磁開閉器駆動回路に非常停止用スイッチの常閉接点と直列に挿入したことを特徴とする。【００１２】
上記のように手元操作スイッチボックスの非常停止用スイッチに常閉接点の開操作により閉じる常開接点を設けると共に、該常開接点が閉じることにより動作し且つ該動作を自己保持する自己保持回路を有する電源投入用リレーを設け、該電源投入用リレーの常開接点を電磁開閉器駆動回路に非常停止用スイッチの常閉接点と直列に挿入したので、例えば運転開始前で電磁開閉器が開状態となっている場合、或いは停電により電磁開閉器が開状態となっているとき復電した場合、非常停止用スイッチの押圧操作を行うだけで、前記リレーは動作し自己保持し、電磁開閉器駆動回路に非常停止用スイッチの常閉接点と直列に挿入した常開接点を閉じる。その後、非常停止用スイッチを所定方向に所定量回転させリセットすることにより、非常停止用スイッチの常閉接点を閉じるから電磁開閉器は閉状態となり、その後は手元操作スイッチボックスのスイッチ操作により電動機器の運転停止を行うことができる。【００１３】
また、本発明は、上記電動機器の運転制御装置において、非常停止用スイッチは押釦スイッチであり、押圧操作により常閉接点が開くと共に、常開接点が閉じてこの状態を維持し、その後所定方向に所定量回転させることによりリセットする構成となっていることを特徴とする。【００１４】
非常停止用スイッチを上記構成とすることにより、非常停止用スイッチを押圧操作した後、所定の方向に所定量回転させてリセットさせるだけで、電源回路に電源が供給されていれば、電磁開閉器は閉じた状態を維持するから、手元操作スイッチボックスのスイッチ操作により電動機器の運転停止を行うことができる。【００１５】
また、本発明は、上記電動機器の運転制御装置において、電動機器は電動巻上機の巻上下用電動機であり、制御回路は前記手元操作スイッチボックスのスイッチ操作により巻上下用電動機を巻上下げ方向に運転停止させる機能を有することを特徴とする。【００１６】
上記のように運転制御装置を電動巻上機の巻上下用電動機の運転制御に用いることにより、例えば運転開始前で電磁開閉器が開状態となっている場合、或いは停電により電磁開閉器が開状態となっているとき復電した場合、非常停止用スイッチの押圧操作を行うだけで、操作スイッチボックスのスイッチ操作により電動巻上機の巻上下用電動機の巻上下運転停止を行うことができる。【００１７】
また、本発明は、上記電動機器の運転制御装置において、電動巻上機は該電動巻上機を横行させる横行用電動機を備え、制御回路は手元操作スイッチボックスのスイッチ操作により横行用電動機を横行方向に運転停止させる機能を更に有することを特徴とする。【００１８】
上記のように運転制御装置を電動巻上機の横行用電動機の運転制御に用いることにより、例えば運転開始前で電磁開閉器が開状態となっている場合、或いは停電により電磁開閉器が開状態となっているとき復電した場合、非常停止用スイッチの押圧操作を行うだけで、操作スイッチボックスのスイッチ操作により電動巻上機の巻上下用電動機の巻上下運転停止及び横行用電動機の横行運転停止を行うことができる。
【発明を実施するための最良の形態】
【００１９】
以下、本発明の実施の形態例を図面に基づいて説明する。なお、本実施形態例は、電動機器として電気チェーンブロックの巻上下用誘導電動機を手元操作スイッチボックスで操作する運転制御装置を説明するが、本発明の運転制御装置は手元操作スイッチボックスで制御するものであれば、各種の電動機器の運転制御装置に用いることができる。図２は本発明に係る電動機器の運転制御装置の回路構成を示す図である。図２において、図１と同一符号を付した部分は同一又は相当部分を示す。【００２０】
本運転制御装置が図１に示す運転制御装置と異なる点は、手元操作スイッチボックス３０の非常停止用押釦スイッチ３１の常閉接点３１ｂの開操作（押圧操作）により閉じる常開接点３１ａを設けると共に、該常開接点３１ａに直列に電源投入用リレー２５（図示せず）の駆動コイル２５Ｘを接続し、更に電源投入用リレー２５の常開接点２５ａ−１が閉じることにより、該電源投入用リレー２５の動作を維持させる自己保持回路２７を設けた点である。そして電源投入用リレー２５の常開接点２５ａ−２を駆動回路２０に非常停止用押釦スイッチ３１に常閉接点３１ｂと直列に挿入接続している。非常停止用押釦スイッチ３１の常閉接点３１ｂの開操作（押圧操作）により、その常開接点３１ａが閉じると駆動コイル２５Ｘに駆動電流が流れ、電源投入用リレー２５が動作すると共に、自己保持回路２７から駆動コイル２５Ｘに駆動電流が流れ続け、電源投入用リレー２５は動作し続ける。【００２１】
非常停止用押釦スイッチ３１は押圧操作により常閉接点３１ｂが開くと共に、常開接点３１ａが閉じてラッチ状態となり、その後所定方向（例えば右方向）に所定量回転させることによりリセットとなる構成の押釦スイッチである。従って、非常停止用押釦スイッチ３１の押圧操作により常開接点３１ａが閉じ電源投入用リレー２５が自己保持状態となり、その後非常停止用押釦スイッチ３１を所定方向に所定量回転させることによりリセットとなると、その常閉接点３１ｂが閉じるから、該常閉接点３１ｂ及び電源投入用リレー２５の常開接点２５ａ−２を通して駆動電流が駆動コイル１２Ｘに流れ、電磁開閉器１２は閉じる。これにより、手元操作スイッチボックス３０の巻上用押釦スイッチ３３及び巻下用押釦スイッチ３４の操作により、巻上下用誘導電動機１０の巻上下げ操作ができる状態となる。この状態は非常停止用押釦スイッチ３１の常閉接点３１ｂを開操作（押圧操作）するまで継続する。【００２２】
上記のように電磁開閉器１２が閉じている状態で巻上用押釦スイッチ３３を押し、その常開接点３３ａが閉じると巻上用電磁開閉器１３の駆動コイル１３Ｘに駆動電流が流れ、巻上用電磁開閉器１３が閉じ、巻上下用誘導電動機１０に巻上用の駆動電力が供給され、該巻上下用誘導電動機１０は巻上げ方向に回転（正転）する。また、巻下用押釦スイッチ３４を押し、その常開接点３４ａが閉じると巻下用電磁開閉器１４の駆動コイル１４Ｘに駆動電流が流れ、巻下用電磁開閉器１４が閉じ、巻上下用誘導電動機１０に巻下用の駆動電力が供給され、該巻上下用誘導電動機１０は巻下げ方向に回転（逆転）する。【００２３】
上記巻上下用電動機の運転制御装置において、停電発生時には、電源回路１５への電力供給は遮断される。停電復帰時は手元操作スイッチボックス３０の非常停止用押釦スイッチ３１の常閉接点３１ｂは閉じているが、電源投入用リレー２５が不動作であり、その常開接点２５ａ−２が開いているから、電磁開閉器１２は開状態のままである。従って、この状態で、手元操作スイッチボックス３０の巻上用押釦スイッチ３３及び巻下用押釦スイッチ３４を操作しても巻上下用誘導電動機１０の巻上下げ操作はできない。非常停止用押釦スイッチ３１の押圧操作により常開接点３１ａを閉じ、上記所定方向に所定量回転させることによりリセットする。常開接点３１ａが閉じることにより、電源投入用リレー２５の駆動コイル２５Ｘに駆動電流が流れ動作して自己保持する。そしてその常開接点２５ａ−２が閉じると共に、非常停止用押釦スイッチ３１の常閉接点３１ｂも閉じるから、電磁開閉器１２の駆動コイル１２Ｘに駆動電流が流れ、電磁開閉器１２は閉状態となる。これにより上記のように、手元操作スイッチボックス３０の巻上用押釦スイッチ３３及び巻下用押釦スイッチ３４の操作により、巻上下用誘導電動機１０の巻上下げ操作ができる状態となる。【００２４】
この状態で、巻上用押釦スイッチ３３を押すとその常開接点３３ａが閉じ、巻上用電磁開閉器１３の駆動コイル１３Ｘに駆動電流が流れ、巻上用電磁開閉器１３は閉じ、巻上下用誘導電動機１０に巻上用電力が供給され、巻上方向（正回転方向）に回転する。また、巻下用押釦スイッチ３４を押すとその常開接点３４ａは閉じ、巻下用電磁開閉器１４の駆動コイル１４Ｘに駆動電流が流れ、巻下用電磁開閉器１４は閉じ、巻上下用誘導電動機１０に巻下用電力が供給され、巻下方向（逆回転方向）に回転する。【００２５】
上記のような運転制御装置では、手元操作スイッチボックス３０の非常停止用押釦スイッチ３１に常開接点３１ａ、電源投入用リレー２５、自己保持回路２７等を設けることにより、巻上下用誘導電動機１０を非常停止するときも、電源を投入するときも、一つの非常停止用押釦スイッチ３１の操作によって行うことができるので、操作が簡単となると共に、図１に示す従来の運転制御装置に比べて、非常停止用押釦スイッチ３１とは別に電源投入用押釦スイッチ３２を設ける必要が無いから、手元操作スイッチボックス３０の小型化が可能となる。また、非常停止用押釦スイッチ３１のリセット後、直ちに巻上下用誘導電動機１０の巻上下操作が可能となるので、操作性が大きく向上する。【００２６】
図３は巻上下用電動機の運転制御装置を用いる電気チェーンブロックの外観構成例を示す図である。４０は電気チェーンブロック本体であり、該電気チェーンブロック本体にはチェーン４１を巻上下げするチェーン巻取り巻戻し機構（スプロケット等）や巻上下用誘導電動機１０、ブレーキ１１、手元操作スイッチボックス３０を除く上記運転制御装置等が収納されている。チェーン４１には荷吊上用フック４２が取り付けられ、電気チェーンブロック本体４０は吊下用フック４３により、例えば天井の所定取付位置に取り付けることができるようになっている。チェーン巻取り巻戻し機構で巻取り巻戻されたチェーン４１はチェーン収納バケット４４に収納、繰り出されるようになっている。手元操作スイッチボックス３０はケーブル４５を介して電気チェーンブロック本体４０に接続されている。【００２７】
手元操作スイッチボックス３０に設けられた非常停止用押釦スイッチ３１の操作によって、巻上下用誘導電動機１０の非常停止も電源投入もすることができるから、操作性が大きく向上する。また、電源投入用押釦スイッチを設ける必要がないので、上記のように手元操作スイッチボックス３０の小型化が可能となると共に、操作性が大きく向上する。【００２８】
なお、上記例では電気チェーンブロックの巻上下用誘導電動機の運転制御に用いる運転制御装置を説明したが、電気チェーンブロックに限定されることなく、本発明に係る運転制御装置は、電動ロープホイスト等に利用できる。また、例えば天井走行クレーンの巻上下用電動機及び横行用電動機の運転制御、更には手元操作スイッチボックスの操作で運転制御する電動機器の運転制御に広く用いることができる。【００２９】
図４は手元操作スイッチボックス３０に設けた非常停止用押釦スイッチ３１の一例の外観を示す図である。図示するように押圧部３５を押圧することにより、押圧部３５はストロークＳだけ押圧され、これによりその常閉接点３１ｂが開状態になると同時に常開接点３１ａは閉状態となり、更にこの状態が維持される（プッシュロック方式）状態で押圧部３５を所定方向（例えば右方向）に所定量回転させると、ロック状態が解除（リセット）され、上記常閉接点３１ｂが閉状態になると同時に常開接点３１ａは開状態となる（ターンリセット方式）。なお、３６は常閉接点３１ｂの端子、３７は常開接点３１ａの端子である。【００３０】
以上、本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状や材質であっても、本願発明の作用・効果を奏する以上、本願発明の技術的思想の範囲内である。
【産業上の利用可能性】
【００３１】
本発明は、手元操作スイッチボックスの非常停止用スイッチに常閉接点の開操作により閉じる常開接点を設けると共に、該常開接点が閉じることにより自己保持する自己保持回路を有する電源投入用リレーを設け、該電源投入用リレーの常開接点を電磁開閉器駆動回路に非常停止用スイッチの常閉接点と直列に挿入したので、手元操作スイッチボックスに電源投入スイッチを設ける必要がない分、手元操作スイッチボックスを小型にできると共に、運転開始前で電磁開閉器が開状態となっている場合、或いは停電により電磁開閉器が開状態となっているとき復電した場合、非常停止用スイッチの操作のみで電磁開閉器を閉じその状態を維持することができるから、その後手元操作スイッチボックスのスイッチにより、電動機器の運転停止ができ、操作性が大きく向上する。従って、電動チェーンブロックや電動ロープホイスト等の巻上下げ電動機、天井走行クレーンの横行用電動機等の手元操作スイッチボックスのスイッチ操作により運転制御する電動機器の運転制御に広く利用することが可能である。
【図面の簡単な説明】
【００３２】
【図１】従来の巻上機の巻上下用電動機の運転制御装置の回路構成を示す図である。
【図２】本発明の巻上機の巻上下用電動機の運転制御装置の回路構成を示す図である。
【図３】電気チェーンブロックの外観構成例を示す図である。
【図４】手元操作スイッチボックスに設ける非常停止用押釦スイッチの外観例を示す図である。
【符号の説明】
【００３３】
１０        巻上下用誘導電動機
１１        ブレーキ
１２        電磁開閉器
１２Ｘ      駆動コイル
１３        巻上用電磁開閉器
１３Ｘ      駆動コイル
１４        巻下用電磁開閉器
１４Ｘ      駆動コイル
１５        電源回路
１６        整流回路
２０        駆動回路
２１        巻上用制御回路
２２        巻下用制御回路
２３        変圧器
２４        ヒューズ
２５ａ−１  常開接点
２５ａ−２  常開接点
２７        自己保持回路
３０        手元操作スイッチボックス
３１        非常停止用押釦スイッチ
３１ａ      常開接点
３１ｂ      常閉接点
３３        巻上用押釦スイッチ
３３ａ      常開接点
３４        巻下用押釦スイッチ
３４ａ      常開接点
【図１】
2009025060.tif 000003
【図２】
2009025060.tif 000004
【図３】
2009025060.tif 000005
【図４】
2009025060.tif 000006
【国際調査報告】
2009025060.tif 000007
2009025060.tif 000008